(57)【要約】【課題】ターンテーブルに対するCDの位置合せを確実に行えるようにする。  【解決手段】吸入式ディスクプレーヤー構造は、ベース１０を有し、このベース１０に、伝動装置３８、スライド板６０が取り付けられたスライド体４１と、プッシュバー６４と、定位バー９０と、連接バー構造７０とを設ける。CDを入れると、伝動装置３８がスライド体４１を移動させ、スライド板６０によってプッシュバー６４が動かされてCDをディスクプレーヤー内に入れる。それと同時に、CDが定位バー９０によって支えられ、かつプッシュバー６４がCDを定位置に固定する。CDが入る過程において、連接バー構造７０がCDの端部に力を加える。【選択図】図２
0003111157.tif 000002
【実用新案登録請求の範囲】
【請求項１】
CDの挿入位置決め構造を用いる吸入式ディスクプレーヤー構造において、
ベースと、
前記ベースに設けられ、上下に移動することができるスライド体と、
前記ベースに設けられ、前記スライド体を移動させる伝動装置と、
前記スライド体の下端部に設けられるスライド板と、
前記ベースに設けられ、前記スライド板によって動かされるプッシュバーと、
前記ベースの上端部に設けられ、前記CDの中心を位置決めする過程で、前記CDに接触し
、力を加える連接バー構造と、
前記ベースの一端部に設けられ、前記スライド体に相対し、前記CDを中心位置に位置決
めする定位バーと、を備え、
前記CDが入ったとき、前記スライド体が上に移動し、前記スライド板を動かし、前記プ
ッシュバーが前記CDを入れるように連動させ、前記CDの一端が前記定位バーに位置決めさ
れ、かつ前記プッシュバーが前記CDの下端を位置決めし、前記連接バー構造が前記CDの上
端に力を加え、前記CDの中心穴を前記ベースに設けられたトラバースのターンテーブルに
合わせて、前記ターンテーブルが回転して前記CDのデータを読み取ることができる、
ことを特徴とする吸入式ディスクプレーヤー構造。
【請求項２】
前記ベースの上端部に設けられる起動バーをさらに備え、前記CDが入ったときに前記起
動バーが押されて起動スイッチに触れ、前期伝動装置を起動することを特徴とする請求項
１に記載の吸入式ディスクプレーヤー構造。
【請求項３】
前記スライド本体の下部側面に、ギアラックが備えられ、前記伝動装置がモータとギア
を備え、前記モータが前記ギアを動かし、前記ギアが前記ギアラックを動かし、前記スラ
イド体を移動させることを特徴とする請求項１に記載の吸入式ディスクプレーヤー構造。
【請求項４】
前記スライド板には定位溝が設けられ、前記プッシュバーの定位ロッドが前記定位溝内
に貫通し、前記定位溝が前記プッシュバーを動かし、前記CD挿入の位置決めを行うことを
特徴とする請求項１に記載の吸入式ディスクプレーヤー構造。
【請求項５】
前記CDの中心の位置決め後、前記スライド体が引き続き上に移動し、前記スライド板を
動かし、前記定位溝が前記定位ロッドを導き、前記プッシュバーを前記CDから離れさせ、
前記CDと接触しないようにすることを特徴とする請求項４に記載の吸入式ディスクプレー
ヤー構造。
【請求項６】
前記プッシュバーは弾性要素に引っ掛かっており、前記弾性要素の一端が前記ベースに
引っ掛かっていることを特徴とする請求項１に記載の吸入式ディスクプレーヤー構造。
【請求項７】
前記連接バー構造は、第一連接バーおよび第二連接バーを備え、前記第一連接バーの一
端が前記ベースに設けられ、かつ弾性要素を引っ掛けており、前記弾性要素の一端が前記
ベースに引っ掛けられており、前記第一連接バーが前記スライド体の上端部に位置し、前
記第一連接バーの他端が前記第二連接バーの導引溝に嵌め込まれ、前記第二連接バーの一
端が前記ベースに設けられ、前記第一連接バーが前記第二連接バーを動かし、前記第二連
接バーの他端が前記CDの中心を合わせる過程で、前記CDに接触して力を加えることを特徴
とする請求項１に記載の吸入式ディスクプレーヤー構造。
【請求項８】
前記第一連接バーに、制限ロッドが出っ張って設けられ、前記制限ロッドが前記スライ
ド本体の上端部に設けられた制限溝内に嵌め込まれ、前記CDの中心位置を位置決めした後
、前記スライド体が引き続き上に移動し、前記制限溝が前記制限ロッドを動かし、前記第
一連接バーを移動させ、前記第二連接バーを前記CDから離し、前記CDと接触しないように
することを特徴とする請求項７に記載の吸入式ディスクプレーヤー構造。
【請求項９】
前記スライド体の上端部側面に、横移動溝が設けられ、横移動構造の一端が前記横移動
溝に嵌め込まれ、前記スライド体が上に向かって移動し、前記横移動構造を前記スライド
本体の方向に移動させ、前記CDの中心が位置決めされた後、前記スライド本体が引き続き
上に移動し、前記横移動構造を移動させ、前記横移動構造が前記定位バーを前記CDから離
し、前記CDと接触しないようにすることを特徴とする請求項１に記載の吸入式ディスクプ
レーヤー構造。
【請求項１０】
前記横移動構造は、横移動体を含み、前記横移動体の一端には横移動ロッドが設けられ
、前記横移動ロッドが前記横移動溝に嵌め込まれ、前記横移動体には分離板が設けられ、
前記分離板には分離ロッドが設けられ、前記横移動構造が前記CDの中心を定めた後に移動
したとき、前記分離ロッドが前記定位バーの一端に設けられた傾斜板を動かし、前記定位
バーを前記CDから離し、前記CDと接触しないようにすることを特徴とする請求項９に記載
の吸入式ディスクプレーヤー構造。
【請求項１１】
前記定位バーの一端に弾性要素が引っ掛けられており、前記弾性要素の一端が前記ベー
スに引っ掛けられていることを特徴とする請求項１に記載の吸入式ディスクプレーヤー構
造。
【請求項１２】
起動バーをさらに含み、その一端部が前記ベース上に設けられ、かつ弾性要素が引っ掛
けられており、前記弾性要素の一端が前記ベースに引っ掛けられており、前記起動バーが
前記CDの中心位置を定める過程で、前記CDに接触し、力を加えることを特徴とする請求項
１に記載の吸入式ディスクプレーヤー構造。
【請求項１３】
前記CDの中心位置を定めた後、前記スライド体が継続して上に移動し、前記スライド体
の上端部に設けられる横移動構造を前記スライド体の方向に移動させ、前記横移動構造が
前記起動バーを前記CDから離し、前記CDに接触しないようにし、前記スライド体上端部側
面に横移動溝が設けられ、前記横移動構造の一端部が前記横移動溝に嵌め込まれ、かつ前
記移動溝を移動することができることを特徴とする請求項１２に記載の吸入式ディスクプ
レーヤー構造。
【請求項１４】
前記横移動構造は、横移動体を含み、前記横移動体の一端部に設けられた横移動ロッド
が前記横移動溝に嵌め込まれ、前記横移動体には分離板が設けられ、前記横移動構造が前
記CDの中心位置が定まった後で移動するとき、前記分離板が前記起動バーから突き出たプ
ッシュロッドを動かし、前記起動バーを動かし、前記起動バーを前記CDから離し、前記CD
に接触しないようにすることを特徴とする請求項１３に記載の吸入式ディスクプレーヤー
構造。
【請求項１５】
前記スライド体の側面に、横移動溝と第一昇降溝が設けられ、前記横移動溝には横移動
体の一端に設けられた横移動ロッドが嵌め込まれ、前記横移動体の側面には、第二昇降溝
が設けられ、前記トラバースの先端両側には、それぞれ前記第一昇降溝および前記第二昇
降溝に嵌め込まれる昇降ロッドが備えられ、前記スライド体が前記CDの中心位置を定める
過程において、上に移動するとき、前記横移動体が前記スライド体の方向に移動するよう
にし、前記第一昇降溝と前記第二昇降溝が前記昇降ロッドを前記CDに接近する方向に移動
させ、前記トラバースを前記CDに接近する方向に移動させ、前記CDを前記ターンテーブル
に入れるようにすることを特徴とする請求項１に記載の吸入式ディスクプレーヤー構造。
【請求項１６】
前記定位バーには定位ブロックが設けられ、前記CDを固定位置に定めることを特徴とす
る請求項１に記載の吸入式ディスクプレーヤー構造。
【請求項１７】
CDの取り出し構造を用いる吸入式ディスクプレーヤー構造において、
ベースと、
前記ベースに設けられ、上下に移動することができるスライド体と、
前記ベースに設けられ、前記スライド体を移動させる伝動装置と、
前記ベースに設けられ、前記スライド体の上端部に位置する第一連接バーと、
前記ベースに設けられ、導引溝を備え、前記第一連接バーの一端部が前記導引溝に嵌め
込まれている第二連接バーと、を備え、
前記CDを取り出すとき、前記スライド体が下に移動し、前記第一連接バーを動かし、前
記第二連接バーが前記CDを押すようにし、前記CDを下に移動させて取り出す、
ことを特徴とする吸入式ディスクプレーヤー構造。
【請求項１８】
前記スライド体の下部側面に、ギアラックが備えられ、前記伝動装置がモータとギアを
備え、前記モータが前記ギアを動かし、前記ギアが前記ギアラックを動かし、前記スライ
ド体を移動させることを特徴とする請求項１７に記載の吸入式ディスクプレーヤー構造。
【請求項１９】
前記第一連接バーの一端部に導引ロッドが設けられ、前記導引ロッドが前記導引溝に嵌
め込まれ、前記第一連接バーに制限ロッドが設けられ、前記制限ロッドが前記スライド体
の上端部に設けられた制限溝内に嵌め込まれ、前記スライド体が下に移動するとき、前記
制限溝内で前記制限ロッドが動くことで前記第一連接バーが移動し、前記第二連接バーを
動かすことを特徴とする請求項１７に記載の吸入式ディスクプレーヤー構造。
【請求項２０】
当該第一連接バーは、弾性素子を引っ掛けており、当該弾性素子の一端が当該ベースに
引っ掛かっていることを特徴とする請求項１７に記載の吸入式ディスクプレーヤー構造。
【請求項２１】
前記スライド体の側面に、横移動溝と第一昇降溝が設けられ、前記横移動溝には横移動
体の一端部に設けられた横移動ロッドが嵌め込まれ、前記横移動体の側面には、第二昇降
溝が設けられ、前記トラバースの先端両側には、それぞれ前記第一昇降溝および前記第二
昇降溝に嵌め込まれる昇降ロッドが備えられ、前記スライド体が前記CDの取り出し過程に
おいて、下に移動するとき、前記横移動体が前記スライド体から遠く離れた方向に移動す
るようにし、前記第一昇降溝と前記第二昇降溝とが前記昇降ロッドを前記CDから離れる方
向に移動させ、前記トラバースを前記CDから離れる方向に移動させ、前記CDが頂ロッドに
よって前記ターンテーブルから出るようにすることを特徴とする請求項１７に記載の吸入
式ディスクプレーヤー構造。
【考案の詳細な説明】
【技術分野】
【０００１】
本考案は、ディスクプレーヤー構造に関し、特に吸入式ディスクプレーヤー構造で、コ
ンパクトディスク（以下、CDという）を入れて読み取るときに、トラバース（Traverse）
におけるターンテーブル（Turntable）の中心を正確に位置づけることで、ターンテーブ
ルが正確にCDを入れ、CDを回転させてデータを読み取ることができるようにする吸入式デ
ィスクプレーヤー構造に関する。
【背景技術】
【０００２】
科学技術の発展によって、CDの製造技術も格段に進歩しており、品質のより高いCDが製
造され、多くのメリットを有している。例えば、資料の保存時間が長くなり、保存容量が
大きく、携帯に便利になっており、現在では、多くの人がCDに、特にオーディオデータな
どのデータファイルを保存している。このように、人々の間のデータの交換を促進するこ
とができ、プライベートに、自宅で映画を見たり、音楽を聴いたりして、仕事のストレス
を解消し、生活に面白みをもたせることができる。
【０００３】
現在、CDのデータを読み取るディスクプレーヤーのほとんどがプラテン式ディスクプレ
ーヤーであり、即ちプラテン（platen）を用いて、CDをディスクプレーヤーに入れて読み
取りを行っている。しかし、プラテン式ディスクプレーヤーにおけるプラテンは、ユーザ
がCDを入れるときに、入れる位置が不正確なことにより、CDが引っかかる状況が起こりや
すく、かつユーザがCDを取り出した後、プラテンをディスクプレーヤー内に戻すのを忘れ
た場合、プラテンが折れたりしやすい。上記の問題に基づいて、現在、吸入式のディスク
プレーヤーが開発されている。吸入式のディスクプレーヤーでは、プラテンを使わずに、
CDを直接吸入式ディスクプレーヤーに入れるとき、その内部構造がCDを吸い込むようにCD
を中に入れるが、現在の吸入式ディスクプレーヤーはCDの中心位置を定めるときに、位置
決めが不正確な状況が起こり、CDを回転させてデータを読み取るためのターンテーブルが
、CDを確実に設置することができず、CDを回転させてデータを読み取ることができないこ
とがある。中心の位置決めとは、CDを入れるときに、CDが固定位置に位置決めされ、CDの
中心の穴がターンテーブル（Turntable）に正確に位置し、ターンテーブルがCDを入れ、C
Dを回転させてデータを読み取ることができるようにすることである。
【考案の開示】
【考案が解決しようとする課題】
【０００４】
したがって、本考案は上記の問題に対して、CDを入れたときに、ターンテーブルにCDの
中心を合わせることで、ターンテーブルが確実にCDの中心に位置し、さらにCDを回転させ
て、データを読み取ることができ、吸入式ディスクプレーヤーのCDデータ読み取り機能を
高め、上記の問題を解決することができる吸入式ディスクプレーヤー構造を提供する。
【０００５】
本考案は、プッシュバー、連接バー構造および定位バーによって、CDを入れるときに、
CDを固定位置に正確に定め、CDをターンテーブルに確実に設置し、CDを回転させてデータ
を読み取ることを主な目的とする。
【０００６】
また、本考案は、CDを取り出すときに、簡単な連接バー構造を利用して、CDをディスク
プレーヤーから押し出すことを目的とする。
【０００７】
さらに、本考案は、本考案のディスクプレーヤーのデータ読み取り規格に合致しないCD
をディスクプレーヤーに入れた場合に、CDの引っ掛かりが発生するのを避けることを目的
とする。
【課題を解決するための手段】
【０００８】
以上の目的を達するために、本考案の吸入式ディスクプレーヤー構造は、主にベースを
含み、このベースに、主に伝動装置と、スライド板が取り付けられたスライド体と、プッ
シュバーと、定位バーと、連接バー構造と、を設ける。CDを入れると、伝動装置がスライ
ド体を移動させ、スライド板がスライド体の下端部に設けられているため、スライド板が
スライド体と同じ動きをし、スライド板の裏面に位置するプッシュバーがスライド板によ
り動かされ、CDの下端を押し、CDをディスクプレーヤーの中に入れ、かつCDがディスクプ
レーヤーに入れられるときに、CDの一端がベースの一端に設けられた定位バーによって支
えられ、かつプッシュバーがCDの下部を固定位置に固定する。また、CDが入る過程におい
て、ベースの上端部に設けられた連接バー構造がCDの上端に継続して力を加える。このよ
うにすることで、CDが入るときに、CDを固定位置に定め、CDの中心穴がターンテーブルに
ぴったり合い、CDがターンテーブルに確実に設置され、データを読み取ることができる。
また、CDを取り出すときは、伝動装置がスライド体を反対方向に作動させ、連接バー構造
がCDを押し、CDがディスクプレーヤーから取り出される。
【０００９】
なお、本発明において、各部材の移動方向について説明するときの「上」は、CDをディ
スクプレーヤーに入れるときのCDの移動方向を意味し、「下」は、CDをディスクプレーヤ
ーから取り出すときのCDの移動方向を意味する。
【考案を実施するための最良の形態】
【００１０】
以下、本考案の実施形態について図面を参照して説明する。
【００１１】
図1及び図2に示すのは、本考案の一実施形態の組立図、および分解図である。図に示す
ように、本実施形態のディスクプレーヤーは、ベース10と、トラバース（Traverse）30と
を備える。トラバース30には、CDを突き抜けて回転させ、データを読み取るためのターン
テーブル31が設けられている。トラバース30の先端の両側には、それぞれ昇降ロッド32、
33が設けられている。ベース10の下部には、伝動装置38が設けられている。伝動装置38は
、回転してギア40を動かすモータ39を含む。ギア40は、ベース10に設けられるスライド体
41の下部側面に設けられたギアラック42と相互に噛み合い、スライド体41を上下に移動さ
せる。スライド本体41は、上端部表面に制限溝44が設けられるとともに、上端部側面には
横移動溝46が設けられ、横移動溝46およびギアラック42の間には、斜溝である第一昇降溝
48が設けられる。
【００１２】
横移動体50の一端に設けられた横移動ロッド51は、スライド体41に設けられた横移動溝
46に嵌め込まれている。横移動体50の側面には、斜溝である第二昇降溝52が設けられてい
る。トラバース30に設けられた2つの昇降ロッド32、33は、それぞれ第一昇降溝48および
第二昇降溝52に嵌め込まれている。伝動装置38がスライド本体41を上に向かって移動させ
るとき、横移動溝46の後段に内側に向かう斜度があるため、横移動溝46が横移動体50をス
ライド体41の方向に移動させる。このとき、第一昇降溝48および第二昇降溝52に位置する
2つの昇降ロッド32、33は、第一昇降溝48および第二昇降溝52によって導かれ、スライド
体４１および横移動体５０の表面側に向かって移動する。こうすることで、トラバース30
をCDに接近する方向に向かって移動させ、即ちトラバース30におけるターンテーブル31の
中心の固定位置に中心を位置決めしたCDをターンテーブル31に入れることができる。
【００１３】
第一昇降溝48および第二昇降溝52の後段が下に向かう斜溝であるため、続いて、トラバ
ース30がCDから離れる方向に向かって移動し、CDを回転させることで、データの読み取り
を行う。この動作は、CDを入れて、データを読み取る部分の動作であり、CDの挿入及び中
心の位置決めの詳細な動作は、図3〜図7に詳しく示す。同様に、CDの取り出し時には、モ
ータ39が逆回転し、スライド体41が下に向かって移動し、横移動体50がスライド体41から
離れる方向へ移動し、トラバース30がCDから離れる方向に向かうと同時に、頂ロッド11を
利用して、CDを取り出し、取り出しの後続動作を行う。また、トラバース30がベース10に
対する昇降移動をする際に、左右に揺れるのを防ぐために、ベース10には昇降ロッド32、
33の先端の位置にそれぞれ制限板34、36を設ける。制限板34、36の昇降ロッド32、33に相
対する位置に、それぞれ直溝35、37が設けられ、昇降ロッド32、33が昇降移動のみができ
るように制限する。
【００１４】
スライド板60は、固定穴61とスライド体41の下端部に設けられた固定ロッド43とによっ
て、スライド体41の下端部に固定される。スライド板60には定位溝63が設けられる。スラ
イド板60の裏面側に位置するベース10の部分には、プッシュバー64が設けられる。プッシ
ュバー64は、ベース10に設けられる凸ロッド12が貫通穴65に嵌め込まれることによって、
ベース10に取り付けられる。プッシュバー64には、プッシュ軸66と定位ロッド68とが設け
られる。プッシュ軸66には、CDを押すためのプッシュ体67が設けられる。定位ロッド68は
、スライド板60に形成された定位溝63を貫通して設けられる。こうすることで、スライド
板60が移動したとき、定位溝63がプッシュバー64の動作を導く。ブッシュバー64には、弾
性要素13の一端を引っ掛けるための鉤部69がさらに設けられる。弾性要素13の他端には、
ベース10に引っ掛けられる鉤部14が設けられる。
【００１５】
連接バー構造70は、第一連接バー71および第二連接バー75を含む。第一連接バー71の一
端には、貫通穴72が設けられ、第一連接バー71は、ベース10の上端部に設けられた固定軸
15を貫通穴72に貫通させて取り付けられる。固定軸15には、連接バー71が貫通して取り付
けられる前に、弾性要素16が貫通して設けられる。弾性要素16の両端は、それぞれベース
10に設けられた鉤部29および第一連接バー71の裏面側に設けられた鉤部99に引っ掛けられ
る。第一連接バー71の下方には、制限ロッド73が設けられる。制限ロッド73は、スライド
体41の制限溝44内に嵌め込まれ、第一連接バー71はスライド体41の移動によって動作する
。第一連接バー71には導引ロッド74がさらに設けられる。導引ロッド74は、第二連接バー
75に設けられた導引溝76内に嵌め込まれる。第二連接バー75には貫通穴77が設けられる。
貫通穴77にはベース10に設けられた凸ロッド17が嵌め込まれ、これによって第二連接バー
75が取り付けられる。第二連接バーにはさらにプッシュ軸78が備えられている。プッシュ
軸78はCDを押すためのプッシュブロック79に設けられる。
【００１６】
分離板54は、2つの固定穴55を介して、横移動体50に設けられた2つの固定ロッド53と結
合されることにより、横移動体50に固定される。分離板54の裏面の上端部には、分離ロッ
ド56が設けられる。起動バー80には、貫通穴81が設けられ、ベース10の上端部に設けられ
た凸ロッド18を挿入させることで、起動バー8はベース10の上端部に取り付けられる。起
動バー80の一端には、プッシュ軸82が設けられる。プッシュ軸82には、CDに接触して力を
加えるプッシュブロック83が設けられる。起動バー80の上端には、裏面に向かって出っ張
っている鉤部84が設けられ、この鉤部84に弾性要素19の一端を引っ掛ける。弾性要素19は
、ベース10に設けられた収納溝20に収納され、弾性要素19の他端は、収納溝20の鉤部21に
引っ掛けられている。起動バー80の裏面の上端部には、プッシュロッド85が備えられてい
る。プッシュロッド85は、ベース10に設けられたカーブ溝22内に貫通して設置される。分
離板54が移動すると、プッシュロッド85に接触し、起動バー80を移動させる。起動バー80
上端部には、2つの固定穴86が設けられており、起動ブロック87に設けられた2つの固定ロ
ッド88を固定穴86に貫通させることで、起動バー80に起動ブロック87が固定される。起動
ブロック87の固定ロッド88が設けられた面の裏面には、起動ロッド89が備えられている。
起動ロッド89は、ベース10に設けられた起動溝23に貫通して設置され、伝送装置38のモー
タ39を起動させる起動スイッチを作動させるために用いられる。
【００１７】
定位バー90は、貫通穴91を備えており、ベース10の一端部に設けられた凸ロッド24を貫
通穴91に挿入することよって、定位バー90をベース10に取り付けることができる。定位バ
ー90の側端面には表面側に向かって出っ張った固定板92が備えられている。固定板92には
、CDを挿入するときに、CDを固定位置に位置決めするために用いられる定位ブロック93が
取り付けられている。定位バー90の先端には、傾斜板94が設けられている。傾斜板94は、
ベース10に形成された収納溝25内に位置する。横移動体50が分離板54を移動させると、分
離ロッド56が傾斜板94を動かし、定位バー90を固定位置まで移動させる。定位バー90には
、弾性要素26の一端を引っ掛けるために用いられる鉤部95が設けられる。弾性要素26は、
ベース10上端の収納溝27内に収納され、弾性要素26の他端は、収納溝27内に設けられた鉤
部28に引っ掛けられる。
【００１８】
以下、図3〜図7を参照して、本実施形態におけるCDデータ読み取り動作について詳述す
る。図3は、本考案の実施形態におけるCDをまだ読み取っていないときの初期状態を示す
。このとき、モータ39は停止しており、起動していない。ユーザがCD96を本考案の実施形
態によるディスクプレーヤーに入れると、プッシュバー64は弾性要素13の弾力作用（時計
方向）を受け、プッシュ体67はCD96との接触を保つ。ユーザがCD96を続けて押し入れると
、図4に示すように、CD96が第二連接バー75のプッシュブロック79および起動バー80のプ
ッシュブロック83を押し、起動バー80が回転し、起動ブロック87もそれに伴い移動する。
こうすることで、起動ブロック87の起動ロッド89が起動スイッチに接触し、これによって
モータ39が起動され、運転を始める。
【００１９】
モータ39が起動すると、ギア40を駆動させ、さらにスライド体41を上に向かって移動さ
せる。このとき、スライド板60の定位溝63がプッシュバー64を移動させ、CD96を押してデ
ィスクプレーヤーに入れる。第一連接バー71は、第一連接バー71の裏面側に設けられた弾
性要素16の弾力作用（時計回り）を受けて、第二連接バー75を反時計回りに作動させ、プ
ッシュブロック79をCD96の右側上端に接触させて力を加えさせる。また、起動バー80も弾
性要素19の引っ張り作用（反時計回り）を受けて、起動バー80を反時計回りに旋回させ、
プッシュブロック83をCD96の左側上端に接触させ、力を加えさせることができる。
【００２０】
図5に示すように、プッシュバー64がCD96を完全にディスクプレーヤーに入れたとき、
定位バー90の定位ブロック93によって、CD96の左側を固定位置に位置決めするとともに、
プッシュバー64がCD96の底部を位置決めし、かつ連接バー構造70および起動バー80を利用
して、CD96の上端に力を加える。このようにして、CD96を固定位置に位置決めし、CD96の
中心穴97をトラバース30のターンテーブル31にしっかりと合わせる。このとき、スライド
体41は上に移動し続け、横移動体50の横移動ロッド51はスライド体41の横移動溝46によっ
て、後段の傾斜溝に入れられ、横移動体50をスライド体41の方向に移動させる。第一昇降
溝48と第二昇降溝52とによって、2つの昇降ロッド32、33、ひいてはトラバース30をCD96
に接近する方向に向かって移動させる。ディスクプレーヤーのケースがCD96にかぶさるこ
とによって、ターンテーブル31がCD96をターンテーブル31に入れることができるようにな
り、その後、第一昇降溝48と第二昇降溝52は後段がCD96から離れる方向に向かって傾斜す
る傾斜溝であるため、トラバース30をCD96から離れる方向に向かって移動させ、CD96を回
転させて、データを読み取ることができる。
【００２１】
上述のスライド体41が上に移動してCD96を入れるとき、プッシュバー64は、定位ロッド
68が定位溝63における直溝に移動するため、その位置は変わらない。第二連接バー75も、
第一連接バー71の制限ロッド73が制限溝44の直溝に移動するため、その位置は変わらない
。また、横移動体50が横向きに移動するとき、分離板54の分離ロッド56が接触する定位バ
ー90の前段が直線的な輪郭であるため、定位バー90の位置は変わらない。
【００２２】
ターンテーブル31がCD96を回転させてデータを読み取る前に、CD96に接触している、固
定位置のプッシュバー64、第二連接バー75、起動バー80および定位バー90をCD96から離す
ことで、CD96を傷つけなくなる。この作動状況は以下のとおりである。スライド体41が上
に移動し続け、図6に示すように、スライド板60がスライド体41の移動にしたがって移動
することで、定位溝63の後段の傾斜溝がプッシュバー64をCD96の底部から離れるように移
動させる。一方、第一連接バー71の制限ロッド73が、スライド体41の制限溝44の後段の傾
斜溝に導かれることによって、第二連接バー75がCD96の上端右側から離れる。また、横移
動体50がスライド体41の方向に移動することによって、分離板54も右方向に移動し、分離
板54の先端部が起動バー80のプッシュロッド85を上向きに押すことにより、起動バー80が
CD96から離れる。同時に、分離板54の分離ロッド56によって、定位バー90の傾斜板94を動
かし、定位バー90がCD96から離れるようにする。このとき、スライド体41はスイッチに接
触してスイッチをオフし、モータ39の運転を止める。このようにして、ターンテーブル31
がCD96を回転させて、データを読み取ることができる。
【００２３】
ユーザがCD96を使用した後に取り出したいときには、取り出しボタンを押す。このこと
により、モータ39が反対方向に回転し、スライド体41が下に移動する。このとき、スライ
ド体41は、第一昇降溝48と第二昇降溝52が昇降ロッド32、33をCD96に接近する向きに移動
させたあとで下に移動させる。即ち、CD96の挿入の位置決めと反対の動作を行い、頂ロッ
ド11がCD96をターンテーブルから出し、その後、連接バー構造70の第二連接バー75がCD96
を下に押して、CD96をディスクプレーヤーの外に押し出す。
【００２４】
図7に示すように、ユーザがやや小さいCD、例えば直径が8cmのCDを本考案の実施形態に
用いて問題が発生するのを避けるために、本考案の実施形態にかかわる起動バー80の設置
位置は、小さいCD98が本考案の実施形態のディスクプレーヤー内に入り、左側に偏ったと
き、CD98が起動バー80を完全に押すことができず、即ち起動スイッチをオンすることがで
きず、CD98を読み取る後続動作を行えないように構成されている。このようにして、CD98
を読み取ろうとして、CD98が引っかかる状況を避け、かつ起動バー80が弾性要素19の引っ
張り力を受けて、小さいCD98を出して、ディスクプレーヤーの中に引っかかることがない
ようにする。また、CD98が入れられた位置が右側に偏った場合も、第二連接バーに当たり
、かつ第一連接バー71がその裏面側に設けられた弾性要素16の時計回りの弾力作用によっ
て、第二連接バー75を逆時計回りに移動させ、CD98を押し出し、CD98がディスクプレーヤ
ー内に引っかかるのを避ける。
【００２５】
上記のように、本考案にかかわる吸入式ディスクプレーヤー構造は、主にプッシュバー
64、連接バー構造70および定位バー90によって、CD96を入れるときに、正確に固定位置に
固定し、ターンテーブル31がCD96を確実に入れ、CD96を回転させて、保存されているデー
タを読み取ることができる。また、CD96を取り出すとき、簡単な連接バー構造70によって
、CD96を確実にディスクプレーヤーから取り出すことができる。
【００２６】
本考案は、新規性、進歩性を備え、かつ産業上の利用が可能であり、出願要件を満たし
ているので、法に基づき実用新案登録を出願する。
【００２７】
ただし、上述したのは、本考案の比較的わかりやすい実施形態を示すためだけのもので
あり、本考案の範囲は、これによって何ら制限を受けるものではない。本実用新案登録請
求の範囲に述べられる形状、構造、特徴および精神に基づいて行われる変更および追加は
、全て本実用新案登録請求の範囲に含まれるものとする。
【図面の簡単な説明】
【００２８】
【図１】本考案の一実施形態の組立図である。
【図２】図1に示す実施形態の分解図である。
【図３】図1に示す実施形態に最初にCDを入れた位置の俯瞰図である。
【図４】図1に示す実施形態にCDを入れて起動した位置の俯瞰図である。
【図５】図1に示す実施形態にCDを入れて、中心の位置を定めた俯瞰図である。
【図６】図1に示す実施形態におけるCDのデータ読み取り位置の俯瞰図である。
【図７】図1に示す実施形態に小さいCDを入れた位置の俯瞰図である。
【符号の説明】
【００２９】
10    ベース
11    上部ロッド
12、17、18、24    凸ロッド
13、16、19、26    弾性要素
14、21、28、29、69、84、95、99    鉤部
15    固定軸
20、25、27    収納溝
22    カーブ溝
23    起動溝
30    トラバース
31    ターンテーブル
32、33    昇降ロッド
34、36    制限板
35、37    直溝
38    伝動装置
39    モータ
40    ギア
41    スライド体
42    ギアラック
43、53、88    固定ロッド
44    制限溝
46    横移動溝
48    第一昇降溝
50    横移動体
51    横移動ロッド
52    第二昇降溝
54    分離板
55、61、86    固定穴
56    分離ロッド
60    スライド板
63    定位溝
64    プッシュバー
65、72、77、81、91    貫通穴
66、78、82    プッシュ軸
67    プッシュ体
68    定位ロッド
70    連接バー構造
71    第一連接バー
73    制限ロッド
74    導引ロッド
75    第二連接バー
76    導引溝
79、83    プッシュブロック
80    起動バー
85    プッシュロッド
87    起動ブロック
89    起動ロッド
90    定位バー
92    固定板
93    定位ブロック
94    傾斜板
96、98    CD
97    中心穴
【図１】
0003111157.tif 000003
【図２】
0003111157.tif 000004
【図３】
0003111157.tif 000005
【図４】
0003111157.tif 000006
【図５】
0003111157.tif 000007
【図６】
0003111157.tif 000008
【図７】
0003111157.tif 000009
【手続補正書】
【提出日】平成17年4月15日(2005.4.15)
【手続補正１】
【補正対象書類名】実用新案登録請求の範囲
【補正対象項目名】全文
【補正方法】変更
【補正の内容】
【実用新案登録請求の範囲】
【請求項１】
CDの挿入位置決め構造を用いる吸入式ディスクプレーヤー構造において、
ベースと、
前記ベースに設けられ、上下に移動することができるスライド体と、
前記ベースに設けられ、前記スライド体を移動させる伝動装置と、
前記スライド体の下端部に設けられるスライド板と、
前記ベースに設けられ、前記スライド板によって動かされるプッシュバーと、
前記ベースの上端部に設けられ、前記CDの中心を位置決めする過程で、前記CDに接触し、力を加える連接バー構造と、
前記ベースの一端部に設けられ、前記スライド体に相対し、前記CDを中心位置に位置決めする定位バーと、を備え、
前記CDが入ったとき、前記スライド体が上に移動し、前記スライド板を動かし、前記プッシュバーが前記CDを入れるように連動させ、前記CDの一端が前記定位バーに位置決めされ、かつ前記プッシュバーが前記CDの下端を位置決めし、前記連接バー構造が前記CDの上端に力を加え、前記CDの中心穴を前記ベースに設けられたトラバースのターンテーブルに合わせて、前記ターンテーブルが回転して前記CDのデータを読み取ることができる、
ことを特徴とする吸入式ディスクプレーヤー構造。
【請求項２】
前記ベースの上端部に設けられる起動バーをさらに備え、前記CDが入ったときに前記起動バーが押されて起動スイッチに触れ、前期伝動装置を起動することを特徴とする請求項１に記載の吸入式ディスクプレーヤー構造。
【請求項３】
前記スライド本体の下部側面に、ギアラックが備えられ、前記伝動装置がモータとギアを備え、前記モータが前記ギアを動かし、前記ギアが前記ギアラックを動かし、前記スライド体を移動させることを特徴とする請求項１に記載の吸入式ディスクプレーヤー構造。
【請求項４】
前記スライド板には定位溝が設けられ、前記プッシュバーの定位ロッドが前記定位溝内に貫通し、前記定位溝が前記プッシュバーを動かし、前記CD挿入の位置決めを行うことを特徴とする請求項１に記載の吸入式ディスクプレーヤー構造。
【請求項５】
前記CDの中心の位置決め後、前記スライド体が引き続き上に移動し、前記スライド板を動かし、前記定位溝が前記定位ロッドを導き、前記プッシュバーを前記CDから離れさせ、前記CDと接触しないようにすることを特徴とする請求項４に記載の吸入式ディスクプレーヤー構造。
【請求項６】
前記プッシュバーは弾性要素に引っ掛かっており、前記弾性要素の一端が前記ベースに引っ掛かっていることを特徴とする請求項１に記載の吸入式ディスクプレーヤー構造。
【請求項７】
前記連接バー構造は、第一連接バーおよび第二連接バーを備え、前記第一連接バーの一端が前記ベースに設けられ、かつ弾性要素を引っ掛けており、前記弾性要素の一端が前記ベースに引っ掛けられており、前記第一連接バーが前記スライド体の上端部に位置し、前記第一連接バーの他端が前記第二連接バーの導引溝に嵌め込まれ、前記第二連接バーの一端が前記ベースに設けられ、前記第一連接バーが前記第二連接バーを動かし、前記第二連接バーの他端が前記CDの中心を合わせる過程で、前記CDに接触して力を加えることを特徴とする請求項１に記載の吸入式ディスクプレーヤー構造。
【請求項８】
前記第一連接バーに、制限ロッドが出っ張って設けられ、前記制限ロッドが前記スライド本体の上端部に設けられた制限溝内に嵌め込まれ、前記CDの中心位置を位置決めした後、前記スライド体が引き続き上に移動し、前記制限溝が前記制限ロッドを動かし、前記第一連接バーを移動させ、前記第二連接バーを前記CDから離し、前記CDと接触しないようにすることを特徴とする請求項７に記載の吸入式ディスクプレーヤー構造。
【請求項９】
前記スライド体の上端部側面に、横移動溝が設けられ、横移動構造の一端が前記横移動溝に嵌め込まれ、前記スライド体が上に向かって移動し、前記横移動構造を前記スライド本体の方向に移動させ、前記CDの中心が位置決めされた後、前記スライド本体が引き続き上に移動し、前記横移動構造を移動させ、前記横移動構造が前記定位バーを前記CDから離し、前記CDと接触しないようにすることを特徴とする請求項１に記載の吸入式ディスクプレーヤー構造。
【請求項１０】
前記横移動構造は、横移動体を含み、前記横移動体の一端には横移動ロッドが設けられ、前記横移動ロッドが前記横移動溝に嵌め込まれ、前記横移動体には分離板が設けられ、前記分離板には分離ロッドが設けられ、前記横移動構造が前記CDの中心を定めた後に移動したとき、前記分離ロッドが前記定位バーの一端に設けられた傾斜板を動かし、前記定位バーを前記CDから離し、前記CDと接触しないようにすることを特徴とする請求項９に記載の吸入式ディスクプレーヤー構造。
【請求項１１】
前記定位バーの一端に弾性要素が引っ掛けられており、前記弾性要素の一端が前記ベースに引っ掛けられていることを特徴とする請求項１に記載の吸入式ディスクプレーヤー構造。
【請求項１２】
起動バーをさらに含み、その一端部が前記ベース上に設けられ、かつ弾性要素が引っ掛けられており、前記弾性要素の一端が前記ベースに引っ掛けられており、前記起動バーが前記CDの中心位置を定める過程で、前記CDに接触し、力を加えることを特徴とする請求項１に記載の吸入式ディスクプレーヤー構造。
【請求項１３】
前記CDの中心位置を定めた後、前記スライド体が継続して上に移動し、前記スライド体の上端部に設けられる横移動構造を前記スライド体の方向に移動させ、前記横移動構造が前記起動バーを前記CDから離し、前記CDに接触しないようにし、前記スライド体上端部側面に横移動溝が設けられ、前記横移動構造の一端部が前記横移動溝に嵌め込まれ、かつ前記移動溝を移動することができることを特徴とする請求項１２に記載の吸入式ディスクプレーヤー構造。
【請求項１４】
前記横移動構造は、横移動体を含み、前記横移動体の一端部に設けられた横移動ロッドが前記横移動溝に嵌め込まれ、前記横移動体には分離板が設けられ、前記横移動構造が前記CDの中心位置が定まった後で移動するとき、前記分離板が前記起動バーから突き出たプッシュロッドを動かし、前記起動バーを動かし、前記起動バーを前記CDから離し、前記CDに接触しないようにすることを特徴とする請求項１３に記載の吸入式ディスクプレーヤー構造。
【請求項１５】
前記スライド体の側面に、横移動溝と第一昇降溝が設けられ、前記横移動溝には横移動体の一端に設けられた横移動ロッドが嵌め込まれ、前記横移動体の側面には、第二昇降溝が設けられ、前記トラバースの先端両側には、それぞれ前記第一昇降溝および前記第二昇降溝に嵌め込まれる昇降ロッドが備えられ、前記スライド体が前記CDの中心位置を定める過程において、上に移動するとき、前記横移動体が前記スライド体の方向に移動するようにし、前記第一昇降溝と前記第二昇降溝が前記昇降ロッドを前記CDに接近する方向に移動させ、前記トラバースを前記CDに接近する方向に移動させ、前記CDを前記ターンテーブルに入れるようにすることを特徴とする請求項１に記載の吸入式ディスクプレーヤー構造。
【請求項１６】
前記定位バーには定位ブロックが設けられ、前記CDを固定位置に定めることを特徴とする請求項１に記載の吸入式ディスクプレーヤー構造。